【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
符号長Nが17280ビットであり、符号化率rが2/16のLDPC符号の検査行列に基づき、LDPC符号化を行う符号化部を備え、
前記検査行列は、
所定値M1と、前記LDPC符号の情報長K=N×rとで表されるM1行K列の、前記検査行列の左上のA行列と、
M1行M1列の、前記A行列の右に隣接する階段構造のB行列と、
M1行N-K-M1列の、前記B行列の右に隣接するゼロ行列であるZ行列と、
N-K-M1行K+M1列の、前記A行列及び前記B行列の下に隣接するC行列と、
N-K-M1行N-K-M1列の、前記C行列の右に隣接する単位行列であるD行列と
を含み、
前記所定値M1は、1800であり、
前記A行列及びC行列は、検査行列初期値テーブルによって表され、
前記検査行列初期値テーブルは、前記A行列及びC行列の1の要素の位置を360列ごとに表すテーブルであって、
485 1444 1737 3762 7283 10663
181 1563 1623 3902 12647
1077 1216 1709 11264 13865
303 1225 1369 13470 14991
1067 1226 1795 2169 2507 2677 2727 2773 3609 3926 3996 4192 5004 5921 6134 6385 7419 7595 7821 8996 9413 10318 10557 10886 11307 11599 12641 13430
101 1264 1427 1860 2032 2063 3143 3156 4227 4554 4732 5165 5447 5902 6145 6721 7170 8660 8833 9081 9643 9800 10233 11723 12547 13124 14196 14723
3403 3678 5842 7967 8991 9220 9663 10299 10343 10550
1951 2354 3899 4774 7602 9120 9666 11048 14327 15089
2588 3047 4252 4831 5220 5487 5626 6380 9410 10618
2261 2295 5693 6711 6789 8342 11569 11943 12826 14312
3441 5287 7665 7864 8134 8446 10920 11625 12710 13309
である
送信装置。
【請求項２】
符号長Nが17280ビットであり、符号化率rが2/16のLDPC符号の検査行列に基づき、LDPC符号化を行う符号化ステップを備え、
前記検査行列は、
所定値M1と、前記LDPC符号の情報長K=N×rとで表されるM1行K列の、前記検査行列の左上のA行列と、
M1行M1列の、前記A行列の右に隣接する階段構造のB行列と、
M1行N-K-M1列の、前記B行列の右に隣接するゼロ行列であるZ行列と、
N-K-M1行K+M1列の、前記A行列及び前記B行列の下に隣接するC行列と、
N-K-M1行N-K-M1列の、前記C行列の右に隣接する単位行列であるD行列と
を含み、
前記所定値M1は、1800であり、
前記A行列及びC行列は、検査行列初期値テーブルによって表され、
前記検査行列初期値テーブルは、前記A行列及びC行列の1の要素の位置を360列ごとに表すテーブルであって、
485 1444 1737 3762 7283 10663
181 1563 1623 3902 12647
1077 1216 1709 11264 13865
303 1225 1369 13470 14991
1067 1226 1795 2169 2507 2677 2727 2773 3609 3926 3996 4192 5004 5921 6134 6385 7419 7595 7821 8996 9413 10318 10557 10886 11307 11599 12641 13430
101 1264 1427 1860 2032 2063 3143 3156 4227 4554 4732 5165 5447 5902 6145 6721 7170 8660 8833 9081 9643 9800 10233 11723 12547 13124 14196 14723
3403 3678 5842 7967 8991 9220 9663 10299 10343 10550
1951 2354 3899 4774 7602 9120 9666 11048 14327 15089
2588 3047 4252 4831 5220 5487 5626 6380 9410 10618
2261 2295 5693 6711 6789 8342 11569 11943 12826 14312
3441 5287 7665 7864 8134 8446 10920 11625 12710 13309
である
送信方法。
【請求項３】
符号長Nが17280ビットであり、符号化率rが3/16のLDPC符号の検査行列に基づき、LDPC符号化を行う符号化部を備え、
前記検査行列は、
所定値M1と、前記LDPC符号の情報長K=N×rとで表されるM1行K列の、前記検査行列の左上のA行列と、
M1行M1列の、前記A行列の右に隣接する階段構造のB行列と、
M1行N-K-M1列の、前記B行列の右に隣接するゼロ行列であるZ行列と、
N-K-M1行K+M1列の、前記A行列及び前記B行列の下に隣接するC行列と、
N-K-M1行N-K-M1列の、前記C行列の右に隣接する単位行列であるD行列と
を含み、
前記所定値M1は、1440であり、
前記A行列及びC行列は、検査行列初期値テーブルによって表され、
前記検査行列初期値テーブルは、前記A行列及びC行列の1の要素の位置を360列ごとに表すテーブルであって、
10 1155 1332 1608 8228 8253 11662
483 1297 1433 4678 5776 10410 13553
862 967 1036 1842 2950 10129 12042
258 872 1037 7129 9442 9491 10644
215 260 590 6003 7554 10499
197 521 1190 1670 3696 4410 4436 4686 5350 5651 7397 7503 8553 9844 10729 11421 11605 11742 11835 12338 12422
288 560 1427 1492 1932 3255 4508 4628 5259 5881 6136 8019 8152 8192 8230 8669 8880 10289 11160 11665 12374
694 1175 1205 2363 2756 2962 3097 3374 4268 4811 6072 6393 6942 9514 9733 10681 11081 11360 12386 13467 13980
25 1200 1266 3036 3441 4940 5161 5254 7231 7585 8088 9414 10217 10349 10409 11177 12151 12497 12934 13123 14029
2599 5475 6890 7755 8567 9088 11980
2708 2836 6062 6328 8890 9831 11173
2522 2634 4989 6831 9523 10731 12107
4738 5653 7862 11986 12773 12839 13045
である
送信装置。
【請求項４】
符号長Nが17280ビットであり、符号化率rが3/16のLDPC符号の検査行列に基づき、LDPC符号化を行う符号化ステップを備え、
前記検査行列は、
所定値M1と、前記LDPC符号の情報長K=N×rとで表されるM1行K列の、前記検査行列の左上のA行列と、
M1行M1列の、前記A行列の右に隣接する階段構造のB行列と、
M1行N-K-M1列の、前記B行列の右に隣接するゼロ行列であるZ行列と、
N-K-M1行K+M1列の、前記A行列及び前記B行列の下に隣接するC行列と、
N-K-M1行N-K-M1列の、前記C行列の右に隣接する単位行列であるD行列と
を含み、
前記所定値M1は、1440であり、
前記A行列及びC行列は、検査行列初期値テーブルによって表され、
前記検査行列初期値テーブルは、前記A行列及びC行列の1の要素の位置を360列ごとに表すテーブルであって、
10 1155 1332 1608 8228 8253 11662
483 1297 1433 4678 5776 10410 13553
862 967 1036 1842 2950 10129 12042
258 872 1037 7129 9442 9491 10644
215 260 590 6003 7554 10499
197 521 1190 1670 3696 4410 4436 4686 5350 5651 7397 7503 8553 9844 10729 11421 11605 11742 11835 12338 12422
288 560 1427 1492 1932 3255 4508 4628 5259 5881 6136 8019 8152 8192 8230 8669 8880 10289 11160 11665 12374
694 1175 1205 2363 2756 2962 3097 3374 4268 4811 6072 6393 6942 9514 9733 10681 11081 11360 12386 13467 13980
25 1200 1266 3036 3441 4940 5161 5254 7231 7585 8088 9414 10217 10349 10409 11177 12151 12497 12934 13123 14029
2599 5475 6890 7755 8567 9088 11980
2708 2836 6062 6328 8890 9831 11173
2522 2634 4989 6831 9523 10731 12107
4738 5653 7862 11986 12773 12839 13045
である
送信方法。
【請求項５】
符号長Nが17280ビットであり、符号化率rが4/16のLDPC符号の検査行列に基づき、LDPC符号化を行う符号化部を備え、
前記検査行列は、
所定値M1と、前記LDPC符号の情報長K=N×rとで表されるM1行K列の、前記検査行列の左上のA行列と、
M1行M1列の、前記A行列の右に隣接する階段構造のB行列と、
M1行N-K-M1列の、前記B行列の右に隣接するゼロ行列であるZ行列と、
N-K-M1行K+M1列の、前記A行列及び前記B行列の下に隣接するC行列と、
N-K-M1行N-K-M1列の、前記C行列の右に隣接する単位行列であるD行列と
を含み、
前記所定値M1は、1080であり、
前記A行列及びC行列は、検査行列初期値テーブルによって表され、
前記検査行列初期値テーブルは、前記A行列及びC行列の1の要素の位置を360列ごとに表すテーブルであって、
478 512 714 1103 3052 4701 6654 7690 7824 11154 11948 12493
73 155 855 1758 2467 4962 5168 5785 7323 11891 12232
41 433 636 1280 2182 2342 2768 3511 7654 8802 9938
196 434 672 5407 6013 7349 8268 8640 9257 9675 11987
23 543 562 1355 2157 3037 6464 8139 10004 10047 12628
743 900 982 3188 5095 7926 8936 10387 10419 11190 12422
102 647 1000 3957 4826 5892 8640 8655 11125 11210 12955
273 652 788 1958 2647 4003 5015 6364 9191 9966 10147
372 566 772 7093 7353 8285 8592 9651 11787 12190 12376
33 257 943 3805 5647
196 681 983 9412 11567
59 720 1009 2814 12177
1148 1691 2098 2308 2328 3860 4055 6680 6822 7271 8041 8748 9723 10748 12636 12730 12865
1827 2104 3047 3338 5151 5312 5452 6563 8783 8998 9056 10576 10679 10817 12032 12681 12822
1948 2778 3225 4292 5260 5874 6550 6773 7369 7627 8500 9799 10247 11775 12207 12324 12891
である
送信装置。
【請求項６】
符号長Nが17280ビットであり、符号化率rが4/16のLDPC符号の検査行列に基づき、LDPC符号化を行う符号化ステップを備え、
前記検査行列は、
所定値M1と、前記LDPC符号の情報長K=N×rとで表されるM1行K列の、前記検査行列の左上のA行列と、
M1行M1列の、前記A行列の右に隣接する階段構造のB行列と、
M1行N-K-M1列の、前記B行列の右に隣接するゼロ行列であるZ行列と、
N-K-M1行K+M1列の、前記A行列及び前記B行列の下に隣接するC行列と、
N-K-M1行N-K-M1列の、前記C行列の右に隣接する単位行列であるD行列と
を含み、
前記所定値M1は、1080であり、
前記A行列及びC行列は、検査行列初期値テーブルによって表され、
前記検査行列初期値テーブルは、前記A行列及びC行列の1の要素の位置を360列ごとに表すテーブルであって、
478 512 714 1103 3052 4701 6654 7690 7824 11154 11948 12493
73 155 855 1758 2467 4962 5168 5785 7323 11891 12232
41 433 636 1280 2182 2342 2768 3511 7654 8802 9938
196 434 672 5407 6013 7349 8268 8640 9257 9675 11987
23 543 562 1355 2157 3037 6464 8139 10004 10047 12628
743 900 982 3188 5095 7926 8936 10387 10419 11190 12422
102 647 1000 3957 4826 5892 8640 8655 11125 11210 12955
273 652 788 1958 2647 4003 5015 6364 9191 9966 10147
372 566 772 7093 7353 8285 8592 9651 11787 12190 12376
33 257 943 3805 5647
196 681 983 9412 11567
59 720 1009 2814 12177
1148 1691 2098 2308 2328 3860 4055 6680 6822 7271 8041 8748 9723 10748 12636 12730 12865
1827 2104 3047 3338 5151 5312 5452 6563 8783 8998 9056 10576 10679 10817 12032 12681 12822
1948 2778 3225 4292 5260 5874 6550 6773 7369 7627 8500 9799 10247 11775 12207 12324 12891
である
送信方法。
【手続補正２】
【補正対象書類名】明細書
【補正対象項目名】発明の名称
【補正方法】変更
【補正の内容】
【発明の名称】送信装置及び送信方法
【手続補正３】
【補正対象書類名】明細書
【補正対象項目名】０００１
【補正方法】変更
【補正の内容】
【０００１】
本技術は、送信装置及び送信方法に関し、特に、例えば、LDPC符号を用いたデータ伝送において、良好な通信品質を確保することができるようにする送信装置及び送信方法に関する。